(57)【特許請求の範囲】
【請求項１】
コンテンツを配信するコンテンツ配信装置と、コンテンツを記録する端末装置とを備えるコンテンツ配信システムであって、
前記コンテンツ配信装置は、
記録媒体の記録容量の種類およびコンテンツに応じてコンテンツを分割する際の分割位置を示す分割情報を記憶する記憶部と、
前記記憶部から読み出された前記分割情報を前記端末装置に配信する配信部と
を有し、
前記端末装置は、
前記コンテンツ配信装置から前記分割情報を受け取る受け取り部と、
前記分割情報が示す分割位置で前記コンテンツが複数個に分割されて生成された分割コンテンツを、複数個の記録媒体に記録する記録部と
を有するコンテンツ配信システム。
【請求項２】
前記コンテンツ配信装置において、
前記記憶部は、さらに、前記分割コンテンツに付加するための付加情報を記憶し、
前記配信部は、さらに、前記記憶部から読み出された前記付加情報を前記端末装置に配信し、
前記端末装置において、
前記受け取り部は、さらに、前記付加情報を前記コンテンツ配信装置から受け取り、
前記記録部は、さらに、前記分割コンテンツとともに前記付加情報を前記記録媒体に記録する
請求項１に記載のコンテンツ配信システム。
【請求項３】
さらに、前記分割コンテンツに付加するための付加情報を管理する付加情報配信装置を有し、
前記付加情報配信装置は、
前記付加情報を記憶する付加情報記憶部と、
前記付加情報記憶部から読み出した前記付加情報を前記端末装置に配信する付加情報配信部と
を有し、
前記コンテンツ配信装置において、
前記記憶部は、さらに、前記付加情報の取得先を示す取得先情報を記憶し、
前記配信部は、さらに、前記取得先情報を前記端末装置に配信し、
前記端末装置において、
前記受け取り部は、さらに、前記コンテンツ配信装置から前記取得先情報を受け取るとともに、前記取得先情報に基づいて前記付加情報を前記付加情報配信装置から受け取り、
前記記録部は、さらに、前記分割コンテンツとともに前記付加情報を前記記録媒体に記録する
請求項１に記載のコンテンツ配信システム。
【請求項４】
前記記録部は、前記付加情報を前記分割コンテンツの前または後に付加する
請求項２または請求項３に記載のコンテンツ配信システム。
【請求項５】
前記端末装置は、さらに、前記コンテンツを分割して前記分割コンテンツを作成する分割コンテンツ作成部を有する
請求項１〜請求項４のいずれか１項に記載のコンテンツ配信システム。
【請求項６】
前記記録媒体は、前記端末装置に着脱可能にセットされている
請求項１〜請求項５のいずれか１項に記載のコンテンツ配信システム。
【請求項７】
コンテンツを取得して記録媒体に記録する端末装置であって、
記録媒体の記録容量の種類およびコンテンツに応じてコンテンツを分割する際の位置を示す分割情報を記憶するコンテンツ配信装置から、前記分割情報を受け取る受け取り部と、
前記分割情報が示す分割位置で前記コンテンツが複数個に分割されて生成された分割コンテンツを複数個の記録媒体に記録する記録部と
を有する端末装置。
【請求項８】
前記コンテンツ配信装置は、さらに、前記分割コンテンツに付加するための付加情報を記憶しており、
前記受け取り部は、さらに、前記付加情報を前記コンテンツ配信装置から受け取り、
前記記録部は、さらに、前記分割コンテンツとともに前記付加情報を前記記録媒体に記録する
請求項７に記載の端末装置。
【請求項９】
前記端末装置は、さらに、前記分割コンテンツに付加するための付加情報を管理する付加情報配信装置と接続されており、
前記コンテンツ配信装置は、さらに、前記付加情報の取得先を示す取得先情報を記憶し、
前記端末装置において、
前記受け取り部は、さらに、前記コンテンツ配信装置から前記取得先情報を受け取るとともに、前記取得先情報に基づいて前記付加情報を前記付加情報配信装置から受け取り、
前記記録部は、さらに、前記分割コンテンツとともに前記付加情報を前記記録媒体に記録する
請求項７に記載の端末装置。
【請求項１０】
前記記録部は、前記付加情報を前記分割コンテンツの前または後に付加する
請求項８または請求項９に記載の端末装置。
【請求項１１】
前記端末装置は、さらに、前記コンテンツを分割して前記分割コンテンツを作成する分割コンテンツ作成部を有する
請求項７〜請求項１０のいずれか１項に記載の端末装置。
【請求項１２】
前記記録媒体は、前記端末装置に着脱可能にセットされている
請求項７〜請求項１１のいずれか１項に記載の端末装置。
【請求項１３】
前記端末装置は、さらに、
前記記録媒体の種類を検出する検出部と、
前記分割情報と前記検出部で検出された前記記録媒体の種類とに基づいて、前記コンテンツを１つの記録媒体に記録するか、あるいは前記コンテンツを分割して複数個の記録媒体に記録するかの判断を行う判断部と
を有する請求項７〜請求項１２のいずれか１項に記載の端末装置。
【請求項１４】
前記判断部は、コンテンツを分割する必要がないと処理した場合、前記コンテンツを分割することなく前記記録媒体に記録する
請求項１３に記載の端末装置。
【請求項１５】
分割したコンテンツを記録媒体に記録する端末装置に、コンテンツを配信するコンテンツ配信装置であって、
記録媒体の記録容量の種類およびコンテンツに応じてコンテンツを分割する際の位置を示す分割情報を記憶する記憶部と、
前記記憶部から読み出された前記分割情報を前記端末装置に配信する配信部と
を有するコンテンツ配信装置。
【請求項１６】
前記記憶部は、さらに、前記分割情報に基づいて分割されたコンテンツに付加するための付加情報を記憶し、
前記配信部は、さらに、前記記憶部から読み出した前記付加情報を前記端末装置に配信する
請求項１５に記載のコンテンツ配信装置。
【請求項１７】
コンテンツを分割して記録媒体に記録する端末装置に、分割されたコンテンツに付加するための付加情報を配信する付加情報配信装置であって、
前記付加情報配信装置は、記録媒体の記録容量の種類およびコンテンツに応じてコンテンツを分割する際の分割位置を示す分割情報と前記付加情報の取得先を示す取得先情報とを前記端末装置に配信するコンテンツ配信装置に接続されており、
前記付加情報配信装置は、
前記付加情報を記憶する付加情報記憶部と、
前記付加情報記憶部から読み出した前記付加情報を前記端末装置に配信する付加情報配信部と
を有する付加情報配信装置。
【請求項１８】
コンテンツ配信装置から配信されたコンテンツを端末装置によって記録するコンテンツ記録方法であって、
前記コンテンツ配信装置から前記端末装置に、記録媒体の記録容量の種類およびコンテンツに応じてコンテンツを分割する際の分割位置を示す分割情報を配信する配信ステップと、
前記分割情報が示す分割位置で前記コンテンツが複数個に分割されて生成された分割コンテンツを複数個の記録媒体に記録する記録ステップと
を含むコンテンツ記録方法。
【請求項１９】
前記分割コンテンツに付加するための付加情報を取得する付加情報取得ステップを含み、
前記記録ステップでは、前記分割コンテンツとともに前記付加情報を前記記録媒体に記録する
請求項１８に記載のコンテンツ記録方法。
【請求項２０】
コンテンツ配信装置から配信されたコンテンツを端末装置によって記録するプログラムを記録した記録媒体であって、
前記プログラムは、
前記端末装置が、記録媒体の記録容量の種類およびコンテンツに応じてコンテンツを分割する際の分割位置を示す分割情報を前記コンテンツ配信装置から受け取って、前記分割情報が示す分割位置で前記コンテンツが複数個に分割されて生成された分割コンテンツを複数個の記録媒体に記録するステップを含む
記録媒体。
【請求項２１】
前記プログラムは、前記分割コンテンツに付加するための付加情報を取得する付加情報取得ステップを含み、
前記記録ステップでは、前記分割コンテンツとともに前記付加情報を前記複数個の記録媒体に記録する
請求項２０に記載の記録媒体。
【発明の詳細な説明】
【技術分野】
【０００１】
本発明は、ネットワークを用いて、サーバ等のコンテンツ配信装置から端末装置に映像や音楽などのデジタルコンテンツを配信し、ユーザが端末装置でデジタルコンテンツを利用することができるコンテンツ配信システムに関する。また、本発明は、コンテンツ配信システムに関する端末装置、コンテンツ配信装置、付加情報配信装置、コンテンツ記録方法及び記録媒体に関する。
【背景技術】
【０００２】
近年、音楽、映像、ゲーム等のデジタルコンテンツ（以下、「コンテンツ」という）が、インターネット等の通信やデジタル放送等を通じてサーバから端末装置に配信され、そのコンテンツを端末装置において利用することが可能な、コンテンツ配信システムと呼ばれるシステムが実用化段階に入っている。
【０００３】
コンテンツ配信システムでは、サーバから、コンテンツを利用するために必要であってコンテンツの利用条件やコンテンツ鍵などを含む情報（以下、「ライセンス」という）が配信され、家庭内の端末装置が、サーバから配信されたライセンスを用いてコンテンツの再生や、記録媒体への記録などを行う。コンテンツの記録先としては、ＢＤ（Ｂｌｕ−ｒａｙ  Ｄｉｓｃ）や、ＤＶＤ（Ｄｉｇｉｔａｌ  Ｖｅｒｓａｔｉｌｅ  Ｄｉｓｃ）など、記録容量の異なる複数の記録媒体が混在する状態となっている。
【０００４】
このような従来の技術（以下、「第１の従来技術」という）としては、端末装置からメディア情報の配送要求を受けて、センター装置がメディア情報を、通信回線を通して配送し、配送されたメディア情報を端末装置が記録媒体に記録するメディア情報配送システムが知られている（例えば、特許文献１参照）。
【０００５】
また、別の従来技術（以下、「第２の従来技術」という）として、放送するコンテンツにおいて、時間軸上の意図した位置にチャプター分割をするように指示するチャプター指示データをコンテンツに付随させて放送する放送装置も知られている（例えば、特許文献２参照）。
【先行技術文献】
【特許文献】
【０００６】
【特許文献１】特開平７−２９７９４９号公報
【特許文献２】特開２００６−１４８８３９号公報
【発明の概要】
【発明が解決しようとする課題】
【０００７】
第１の従来技術において、ＢＤのような記録容量が大きい記録媒体に記録することを想定して作成されたコンテンツを、ＤＶＤのような記録容量のそれ程大きくない記録媒体に記録する場合、コンテンツを分割して複数枚の記録媒体に記録することが必要となる。
【０００８】
しかしながら、この場合、コンテンツを分割する位置が、コンテンツ制作者やコンテンツ提供者にとって必ずしも適切な位置になるとは限らないという問題がある。例えば、映画のコンテンツでは、一連のシーンの途中で分割されてしまう可能性がある。また、ユーザがコンテンツを分割した位置がコンテンツ制作者の意図した位置とは異なる可能性もある。
【０００９】
この場合、第２の従来技術を用いれば、コンテンツ制作者はコンテンツの分割位置をチャプター位置で指定することができる。
【００１０】
しかしながら、チャプター位置でコンテンツが分割されたとしても、分割後のコンテンツの容量が大きい場合がある。例えば、ＨＤ（Ｈｉｇｈ  Ｄｅｆｉｎｉｔｉｏｎ）放送用等のコンテンツや三次元映像用のコンテンツの場合である。この場合、分割後のコンテンツをＤＶＤのような容量がそれ程大きくない記録媒体に記録しようとすれば、上述のとおり、チャプター分割されたコンテンツの容量が記録媒体の容量を超えてしまい、さらに分割して記録することが必要となり、結局、コンテンツ制作者やコンテンツ提供者にとってはコンテンツを分割する位置が適切な位置にならないという問題は残る。
【００１１】
本発明は、このような問題点を解決するものであり、コンテンツを分割して記録媒体に記録する場合に、適切な位置で分割が行われることを可能とするコンテンツ配信システム等を提供することを目的としている。
【課題を解決するための手段】
【００１２】
上記課題を解決するために、本発明に係るコンテンツ配信システムの一形態は、コンテンツを配信するコンテンツ配信装置と、前記コンテンツを記録する端末装置とを備えるコンテンツ配信システムであって、前記コンテンツ配信装置は、記録媒体の記録容量の種類およびコンテンツに応じてコンテンツを分割する際の分割位置を示す分割情報を記憶する記憶部と、前記記憶部から読み出された前記分割情報を前記端末装置に配信する配信部とを有し、前記端末装置は、前記コンテンツ配信装置から前記分割情報を受け取る受け取り部と、前記分割情報が示す分割位置で前記コンテンツが複数個に分割されて生成された分割コンテンツを、複数個の記録媒体に記録する記録部とを有する。
【発明の効果】
【００１３】
本発明によれば、コンテンツを分割して複数の記録媒体に記録する場合に、コンテンツ制作者やコンテンツ提供者の意図した適切な位置でコンテンツを分割することができる。
【図面の簡単な説明】
【００１４】
【図１】図１は、本発明の実施の形態１に係るコンテンツ配信システムの全体構成を示す図である。
【図２】図２は、本発明の実施の形態１に係るコンテンツ配信装置が記憶するコンテンツファイルの一例を示す図である。
【図３】図３は、本発明の実施の形態１に係るコンテンツ配信装置が記憶する記録指示情報の一例を模式的に示す図である。
【図４】図４は、本発明の実施の形態１に係るコンテンツ配信システムにおける分割コンテンツの作成処理を模式的に示す図である。
【図５】図５は、本発明の実施の形態１に係るコンテンツ配信システムにおけるコンテンツ記録方法の処理を示すフローチャート図である。
【図６】図６は、本発明の実施の形態１に係るコンテンツ配信システムにおけるコンテンツ判断ステップから記録ステップまでの処理動作を示すフローチャートである。
【図７】図７は、本発明の実施の形態１に係るコンテンツ配信システムにおけるコンテンツ判断ステップにおいて、端末装置のユーザインタラクション部が提示する情報の一例を模式的に示す図である。
【図８】図８は、本発明の実施の形態２に係るコンテンツ配信システムの全体構成を示す図である。
【図９】図９は、本発明の実施の形態２に係るコンテンツ配信装置が記憶する記録指示情報の一例を示す図である。
【図１０】図１０は、本発明の実施の形態２に係るコンテンツ配信システムにおける分割コンテンツの作成処理を模式的に示す図である。
【図１１】図１１は、本発明の実施の形態３に係るコンテンツ配信システムの全体構成を示す図である。
【図１２】図１２は、本発明の実施の形態３に係るコンテンツ配信装置が記憶する記録指示情報の一例を示す図である。
【図１３】図１３は、本発明の実施の形態３に係るコンテンツ配信システムにおける分割コンテンツの作成処理を模式的に示す図である。
【図１４】図１４は、本発明の実施の形態３に係るコンテンツ配信システムにおけるコンテンツ記録方法の処理を示すフローチャート図である。
【図１５】図１５は、本発明の実施の形態３に係るコンテンツ配信システムにおけるコンテンツ記録方法の処理の変形例の一部を示すフローチャート図である。
【発明を実施するための形態】
【００１５】
本発明に係るコンテンツ配信システムの一形態は、コンテンツを配信するコンテンツ配信装置と、コンテンツを記録する端末装置とを備えるコンテンツ配信システムであって、前記コンテンツ配信装置は、コンテンツを分割する際の分割位置を示す分割情報を記憶する記憶部と、前記記憶部から読み出された前記分割情報を前記端末装置に配信する配信部とを有し、前記端末装置は、前記コンテンツ配信装置から前記分割情報を受け取る受け取り部と、前記分割情報が示す分割位置で前記コンテンツが複数個に分割されて生成された分割コンテンツを、複数個の記録媒体に記録する記録部とを有するものである。
【００１６】
これにより、記録媒体の容量が小さいためにコンテンツを分割する場合であっても、コンテンツ配信装置がコンテンツの分割位置を示す分割情報を端末装置に配信するので、端末装置は、コンテンツ提供者の意図した適切な位置で分割がなされたコンテンツを複数の記録媒体に記録することができる。
【００１７】
さらに、前記コンテンツ配信装置において、前記記憶部は、さらに、前記分割コンテンツに付加するための付加情報を記憶し、前記配信部は、さらに、前記記憶部から読み出された前記付加情報を前記端末装置に配信し、前記端末装置において、前記受け取り部は、さらに、前記付加情報を前記コンテンツ配信装置から受け取り、前記記録部は、さらに、前記分割コンテンツとともに前記付加情報を前記記録媒体に記録することが好ましい。
【００１８】
これにより、コンテンツ配信装置が分割コンテンツに付加するための付加情報を配信するので、分割コンテンツに付加情報を付加することができる。従って、コンテンツ提供者は、意図した位置でコンテンツを分割することができるとともに、分割されたコンテンツにもクレジット情報等の付加情報を付加することができる。
【００１９】
さらに、前記分割コンテンツに付加するための付加情報を管理する付加情報配信装置を有し、前記付加情報配信装置は、前記付加情報を記憶する付加情報記憶部と、前記付加情報記憶部から読み出した前記付加情報を前記端末装置に配信する付加情報配信部とを有し、前記コンテンツ配信装置において、前記記憶部は、さらに、前記付加情報の取得先を示す取得先情報を記憶し、前記配信部は、さらに、前記取得先情報を前記端末装置に配信し、前記端末装置において、前記受け取り部は、さらに、前記コンテンツ配信装置から前記取得先情報を受け取るとともに、前記取得先情報に基づいて前記付加情報を前記付加情報配信装置から受け取り、前記記録部は、さらに、前記分割コンテンツとともに前記付加情報を前記記録媒体に記録することが好ましい。
【００２０】
これにより、付加情報配信装置がコンテンツの付加情報を必要な時に配信することができるので、コンテンツ配信装置が付加情報を配信するという負荷が無くなる。
【００２１】
さらに、前記記録部は、前記付加情報を前記分割コンテンツの前または後に付加することが好ましい。
【００２２】
これにより、分割コンテンツの予め定められた位置に付加情報を付加することができるので、付加情報をコンテンツ提供者が意図した位置に挿入することができる。
【００２３】
さらに、前記端末装置は、前記コンテンツを分割して前記分割コンテンツを作成する分割コンテンツ作成部を有することが好ましい。
【００２４】
これにより、端末装置において分割コンテンツを作成することができるので、端末装置のユーザは記録媒体の種類に応じてコンテンツを所望に分割することができる。
【００２５】
さらに、前記記録媒体は、前記端末装置に着脱可能にセットされていることが好ましい。
【００２６】
これにより、記録媒体が端末装置に着脱可能であるので、端末装置のユーザは自由に記録媒体を選択して分割コンテンツを記録媒体に記録することができる。
【００２７】
また、本発明に係る端末装置の一形態は、コンテンツを取得して記録媒体に記録する端末装置であって、コンテンツを分割する際の位置を示す分割情報を記憶するコンテンツ配信装置から、前記分割情報を受け取る受け取り部と、前記分割情報が示す分割位置で前記コンテンツが複数個に分割されて生成された分割コンテンツを複数個の記録媒体に記録する記録部とを有するものである。
【００２８】
これにより、記録媒体の容量が小さいためにコンテンツを分割する場合であっても、端末装置はコンテンツ配信装置から配信された分割情報に基づいてコンテンツを分割して記録媒体に記録することができるので、コンテンツ提供者の意図した位置でコンテンツを分割することができる。
【００２９】
さらに、前記コンテンツ配信装置は、前記分割コンテンツに付加するための付加情報を記憶しており、前記受け取り部は、さらに、前記付加情報を前記コンテンツ配信装置から受け取り、前記記録部は、さらに、前記分割コンテンツとともに前記付加情報を前記記録媒体に記録することが好ましい。
【００３０】
これにより、コンテンツ配信装置が分割コンテンツに付加するための付加情報を配信するので、分割コンテンツに付加情報を付加することができる。従って、コンテンツ提供者は、意図した位置でコンテンツを分割することができるとともに、分割されたコンテンツにもクレジット情報等の付加情報を付加することができる。
【００３１】
さらに、前記端末装置は、前記分割コンテンツに付加するための付加情報を管理する付加情報配信装置と接続されており、前記コンテンツ配信装置は、さらに、前記付加情報の取得先を示す取得先情報を記憶し、前記端末装置において、前記受け取り部は、さらに、前記コンテンツ配信装置から前記取得先情報を受け取るとともに、前記取得先情報に基づいて前記付加情報を前記付加情報配信装置から受け取り、前記記録部は、さらに、前記分割コンテンツとともに前記付加情報を前記記録媒体に記録することが好ましい。
【００３２】
これにより、付加情報配信装置がコンテンツの付加情報を必要な時に配信することができるので、コンテンツ配信装置が付加情報を配信するという負荷が無くなる。
【００３３】
さらに、前記記録部は、前記付加情報を前記分割コンテンツの前または後に付加することが好ましい。
【００３４】
これにより、分割コンテンツの予め定められた位置に付加情報を付加することができるので、付加情報をコンテンツ提供者が意図した位置に挿入することができる。
【００３５】
さらに、前記端末装置は、前記コンテンツを分割して前記分割コンテンツを作成する分割コンテンツ作成部を有することが好ましい。
【００３６】
これにより、端末装置において分割コンテンツを作成することができるので、端末装置のユーザは記録媒体の種類に応じてコンテンツを所望に分割することができる。
【００３７】
さらに、前記記録媒体は、前記端末装置に着脱可能にセットされていることが好ましい。
【００３８】
これにより、記録媒体が端末装置に着脱可能であるので、端末装置のユーザは自由に記録媒体を選択して分割コンテンツを記録媒体に記録することができる。
【００３９】
さらに、前記端末装置は、前記記録媒体の種類を検出する検出部と、前記分割情報と前記検出部で検出された前記記録媒体の種類とに基づいて、前記コンテンツを１つの記録媒体に記録するか、あるいは前記コンテンツを分割して複数個の記録媒体に記録するかの判断を行う判断部とを有することが好ましい。
【００４０】
これにより、記録媒体の種類を検出することができるので、コンテンツの容量にあわせて記録媒体を選択することができるとともに、必要な記録媒体の数量を用意することができる。
【００４１】
さらに、前記判断部は、コンテンツを分割する必要がないと処理した場合、前記コンテンツを分割することなく前記記録媒体に記録することが好ましい。
【００４２】
これにより、コンテンツを分割する必要がない場合にはコンテンツを分割する必要がなくなるので、記録媒体の種類に応じてコンテンツを分割して記録するか否かの対応を変えることができ、同一コンテンツの記録であっても、記録容量の異なる複数種類の記録媒体に応じて適切な対応をすることができる。
【００４３】
また、本発明に係るコンテンツ配信装置の一形態は、分割したコンテンツを記録媒体に記録する端末装置に、コンテンツを配信するコンテンツ配信装置であって、コンテンツを分割する際の位置を示す分割情報を記憶する記憶部と、前記記憶部から読み出された前記分割情報を前記端末装置に配信する配信部とを有するものである。
【００４４】
これにより、記録媒体の容量が小さいためにコンテンツを分割する場合であっても、コンテンツ配信装置が、コンテンツの分割位置を示す分割情報を端末装置に配信するので、コンテンツ提供者の意図した位置でコンテンツの分割が行われる。
【００４５】
さらに、前記記憶部は、前記分割情報に基づいて分割されたコンテンツに付加するための付加情報を記憶し、前記配信部は、さらに、前記記憶部から読み出した前記付加情報を前記端末装置に配信することが好ましい。
【００４６】
これにより、コンテンツ配信装置が分割コンテンツに付加するための付加情報を配信するので、分割コンテンツに付加情報を付加することができる。従って、コンテンツ提供者は、意図した位置でコンテンツを分割することができるとともに、分割されたコンテンツにもクレジット情報等の付加情報を付加することができる。
【００４７】
また、本発明に係る付加情報配信装置の一形態は、コンテンツを分割して記録媒体に記録する端末装置に、分割されたコンテンツに付加するための付加情報を配信する付加情報配信装置であって、前記付加情報配信装置は、コンテンツを分割する際の分割位置を示す分割情報と前記付加情報の取得先を示す取得先情報とを前記端末装置に配信するコンテンツ配信装置に接続されており、前記付加情報配信装置は、前記付加情報を記憶する付加情報記憶部と、前記付加情報記憶部から読み出した前記付加情報を前記端末装置に配信する付加情報配信部とを有するものである。
【００４８】
これにより、コンテンツ配信装置とは異なる配信装置から分割コンテンツに付加する付加情報を配信することができるので、コンテンツ配信装置が付加情報を配信するという負荷をなくすことができる。
【００４９】
また、本発明に係るコンテンツ記録方法の一形態は、コンテンツ配信装置から配信されたコンテンツを端末装置によって記録するコンテンツ記録方法であって、前記コンテンツ配信装置から前記端末装置に、コンテンツを分割する際の分割位置を示す分割情報を配信する配信ステップと、前記分割情報が示す分割位置で前記コンテンツが複数個に分割されて生成された分割コンテンツを複数個の記録媒体に記録する記録ステップとを含むものである。
【００５０】
また、本発明に係る記録媒体の一形態は、コンテンツ配信装置から配信されたコンテンツを端末装置によって記録するプログラムを記録した記録媒体であって、前記コンテンツ配信装置から前記端末装置に、コンテンツを分割する際の分割位置を示す分割情報を配信する配信ステップと、前記分割情報が示す分割位置で前記コンテンツが複数個に分割されて生成された分割コンテンツを複数個の記録媒体に記録する記録ステップとを含むプログラムを記録したものである。
【００５１】
これにより、コンテンツ配信装置が、コンテンツの分割位置を示す分割情報を端末装置に配信するので、コンテンツ提供者の意図した位置でコンテンツを分割することができる。
【００５２】
さらに、前記コンテンツ記録方法又は前記記録媒体において、前記分割コンテンツに付加するための付加情報を取得する付加情報取得ステップを含み、前記記録ステップでは、前記分割コンテンツとともに前記付加情報を前記記録媒体に記録することが好ましい。
【００５３】
これにより、コンテンツ配信装置が分割コンテンツに付加するための付加情報を配信するので、分割コンテンツに付加情報を付加することができる。従って、コンテンツ提供者は、意図した位置でコンテンツを分割することができるとともに、分割されたコンテンツにもクレジット情報等の付加情報を付加することができる。
【００５４】
以下、本発明の実施の形態について図面を参照しながら詳細に説明する。
【００５５】
（実施の形態１）
まず、本発明の実施の形態１に係るコンテンツ配信システムについて説明する。
【００５６】
図１は、本発明の実施の形態１に係るコンテンツ配信システムの全体構成を示す図である。
【００５７】
図１に示すように、本発明の実施の形態１に係るコンテンツ配信システム１００は、コンテンツを分割する位置を示す分割情報をコンテンツ配信装置から端末装置に配信するシステムであり、コンテンツ配信装置２００と端末装置３００とを備える。これらコンテンツ配信装置２００と端末装置３００とは伝送路４００を介して接続される。また、図１に示すように、端末装置３００は、伝送路４００を介してライセンス配信装置５００と接続してもよい。
【００５８】
以下、コンテンツ配信システムの各構成要素について説明する。
【００５９】
コンテンツ配信装置２００は、本実施形態では、コンテンツとコンテンツの分割位置を示す分割情報とを配信する装置であり、例えば、コンテンツサーバ等である。本実施形態では、コンテンツ配信装置２００は、端末装置３００からの要求に応じて、端末装置３００に対し、コンテンツや分割情報を配信する装置である。
【００６０】
図１に示すように、本発明の実施の形態１に係るコンテンツ配信装置２００は、記憶部２０１、配信要求受け取り部２０２、読み出し部２０３及び配信部２０４を有する。
【００６１】
記憶部２０１は、コンテンツと、コンテンツを分割するための分割情報とを記憶する機能を有するハードディスク等である。ここで、コンテンツとは、例えば、映画等の映像、音楽、又はゲーム等のデジタルコンテンツのことであり、コンテンツデータそのものを指す場合もある。本実施形態では、以下、特に説明がない限り、「コンテンツ」とは、コンテンツデータのことを示す。また、分割情報とは、コンテンツを記録媒体に記録する際に、コンテンツを分割する位置等を示すものである。コンテンツを分割する位置は、記録媒体の種類に応じて決められている。
【００６２】
配信要求受け取り部２０２は、端末装置３００から分割情報の配信要求を受け取る機能を有する処理部である。また、この配信要求受け取り部２０２は、端末装置３００からコンテンツの配信要求を受け取る機能も有する。
【００６３】
読み出し部２０３は、分割情報を記憶部２０１から読み出す機能を有する制御回路等であり、配信要求受け取り部２０２が分割情報の配信要求を受けたとき、記憶部２０１に記憶される分割情報を読み出す。また、読み出し部２０３は、端末装置３００からコンテンツの配信要求を受けている場合は、記憶部２０１からコンテンツを読み出す機能をも有する。記憶部２０１から読み出された分割情報やコンテンツは、配信部２０４にデータ送信される。
【００６４】
配信部２０４は、分割情報を端末装置３００に配信する機能を有する処理部であり、端末装置３００からの分割情報の配信要求に対して、読み出し部２０３で読み出した分割情報を端末装置３００に配信する。また、この配信部２０４は、端末装置３００からコンテンツの配信を要求されている場合、端末装置３００にコンテンツの配信を行う機能も有する。
【００６５】
なお、通信部２０５は、配信要求受け取り部２０２と配信部２０４とを含み、伝送路４００を通じて端末装置３００等の外部との通信を行う通信インターフェイス部である。
【００６６】
次に、端末装置３００について説明する。端末装置３００は、コンテンツ配信装置２００からコンテンツや分割情報を受け取り、コンテンツを記録媒体に記録する装置である。端末装置３００は、例えば、パーソナルコンピュータ（ＰＣ）やＢＤレコーダ等である。
【００６７】
図１に示すように、本発明の実施の形態１に係る端末装置３００は、配信要求部３０１、受け取り部３０２、判断部３０３、記録部３０４、配信要求部３０１と受け取り部３０２を含む通信部３０５、コンテンツ管理部３０６、分割コンテンツ作成部３０７、検出部３０８、ライセンス管理部３０９、利用可否判定部３１０、コンテンツ再生部３１１及びユーザインタラクション部３１２を有する。以下、これらの各構成について説明する。
【００６８】
配信要求部３０１は、コンテンツ配信装置２００に対して、分割情報を端末装置３００に配信するように要求を行う機能を有する制御回路等である。また、配信要求部３０１は、コンテンツ配信装置２００に対して、コンテンツを配信するように要求を行う機能も有する。
【００６９】
受け取り部３０２は、コンテンツ配信装置２００から分割情報を受け取る機能を有する。また、受け取り部３０２は、コンテンツ配信装置２００からコンテンツを受け取る機能も有する。さらに、受け取り部３０２は、ライセンス配信装置５００からライセンスを受け取る機能も有する。
【００７０】
判断部３０３は、受け取った分割情報に基づいて、コンテンツを１つの記録媒体に記録するか、あるいは、コンテンツを分割して複数個の記録媒体に記録するかという判断を処理する機能を有する制御回路等である。
【００７１】
記録部３０４は、コンテンツ配信装置２００から配信されるコンテンツ又は分割情報が示す分割位置で複数個に分割されたコンテンツ（以下、分割コンテンツ）を取得し、コンテンツ又は分割コンテンツをＤＶＤ等の記録媒体に記録する制御回路等である。記録部３０４は、判断部３０３がコンテンツを複数個の記録媒体に記録すると処理した場合、分割情報に基づいて複数個に分割された分割コンテンツを、その分割された数に応じた複数個の記録媒体に記録する。また、記録部３０４は、判断部３０３がコンテンツを分割する必要がないと判断した場合、コンテンツを分割することなく、１つの記録媒体に記録する。
【００７２】
通信部３０５は、伝送路４００を通じて、端末装置３００又はライセンス配信装置５００との通信を行う通信インターフェイス部である。
【００７３】
コンテンツ管理部３０６は、受け取り部３０２で受け取ったコンテンツを蓄積する機能を有するハードディスク等である。なお、コンテンツ配信装置２００から受け取る情報は、コンテンツ（コンテンツデータ）そのものの他にメタデータや分割情報を含む記録指示情報等でもよく、また、これらを含むコンテンツファイルでもよい。コンテンツ管理部３０６では、コンテンツ（コンテンツデータ）、メタデータ及び記録指示情報、または、これらを含むコンテンツファイルが蓄積される。
【００７４】
分割コンテンツ作成部３０７は、コンテンツ配信装置２００から受け取った分割情報に従って、コンテンツ（コンテンツデータ）の分割を行い、複数の記録媒体に記録するための分割コンテンツを作成する機能を有する制御回路等である。
【００７５】
検出部３０８は、端末装置３００に着脱可能にセットされている記録媒体の種類及びその記録媒体に記録可能な記録方式を検出する機能を有する制御回路等である。
【００７６】
ライセンス管理部３０９は、受け取り部３０２によって取得されたライセンスを蓄積及び管理する機能を有するハードディスク等である。
【００７７】
利用可否判定部３１０は、コンテンツデータの利用可否を判定する機能を有するプログラム等である。利用可否判定部３１０は、利用可否判定対象のコンテンツデータに対応したライセンスがライセンス管理部３０９に蓄積されており、且つ、そのライセンスに含まれる利用条件が満たされる場合に、コンテンツデータの利用は可であると判定するものである。
【００７８】
コンテンツ再生部３１１は、コンテンツ配信装置２００から取得し、コンテンツ管理部３０６に蓄積されたコンテンツ、又は分割されたコンテンツの再生を行う機能を有するデコーダやＡＶプレーヤである。また、コンテンツ再生部３１１は、端末装置３００に着脱可能にセットされた記録媒体に記録されたコンテンツ又は分割コンテンツの再生を行う機能を有する。
【００７９】
ユーザインタラクション部３１２は、端末装置３００のユーザとのインタラクションを行う機能を有する。具体的には、ユーザへの各種情報の提示や表示を行う表示部（例えば、ディスプレイ）又はユーザからの各種指示の受信を行う受信部（例えば、キーボード）である。
【００８０】
その他、上記の各構成は、共通バス（図示せず）で互いに接続されており、また、各機能を実現可能とするための制御部（図示せず）に接続される。
【００８１】
次に、伝送路４００について説明する。伝送路４００は、インターネットや、ＣＡＴＶ（Ｃａｂｌｅ  Ｔｅｌｅｖｉｓｉｏｎ）、放送波等の有線伝送媒体または無線伝送媒体、及び可搬型記録媒体などであり、コンテンツ配信装置２００、端末装置３００及びライセンス配信装置５００間をそれぞれデータ交換可能に接続するものである。
【００８２】
次に、ライセンス配信装置５００について説明する。ライセンス配信装置５００は、予めユーザが購入などにより得たライセンスを配信するライセンスサーバである。本実施形態では、ライセンス配信装置５００は、端末装置３００に対し、ライセンスを配信する。ここで、ライセンスとは、端末装置３００がコンテンツを利用する際に必要となるデータであり、コンテンツの利用条件やコンテンツ鍵などを含むデータである。ライセンス配信装置５００を用いる場合、端末装置３００は、ライセンスを有し、且つ、ライセンスに含まれる利用条件を満たす場合にのみコンテンツの利用を行うことができる。
【００８３】
次に、コンテンツ配信装置２００の記憶部２０１が記憶する情報について図２を用いて詳述する。
【００８４】
図２は、本発明の実施の形態１に係るコンテンツ配信装置２００が記憶するコンテンツファイル２２０の一例を示す図である。コンテンツ配信装置２００の記憶部２０１には、図２に示すように、コンテンツファイル２２０が記憶されている。コンテンツファイル２２０は、コンテンツデータ２３０（コンテンツ）と、メタデータ２４０と、記録指示情報２５０を含むデータである。コンテンツデータ２３０は、音楽データや映像データなどコンテンツ本編のデータである。メタデータ２４０は、コンテンツデータ２３０に関する情報であり、コンテンツデータ２３０を識別するための情報（ＩＤ：Ｉｄｅｎｔｉｆｉｃａｔｉｏｎ）やコンテンツ名等を示すデータである。記録指示情報２５０は、分割情報を含み、端末装置３００がコンテンツデータ２３０を記録媒体に記録する際の動作を指示する情報である。この記録指示情報２５０については、図３を用いて詳細に説明する。
【００８５】
図３は、本発明の実施の形態１に係るコンテンツ配信装置２００が記憶する記録指示情報２５０の一例を示す図である。図３に示すように、記録指示情報２５０は分割情報２５１を含む。分割情報２５１としては、例えば、記録媒体種別２５２と、分割要否２５３と、分割枚数２５４と、分割位置２５５がある。記録媒体種別２５２は、コンテンツデータ２３０を記録する記録媒体の種別、方式を示す情報である。分割要否２５３は、コンテンツデータ２３０を記録媒体に記録する際に、コンテンツデータ２３０を分割する必要があるか否かを示す情報である。分割枚数２５４は、コンテンツデータ２３０を分割し、何枚の記録媒体に記録するかを示す情報である。分割位置２５５は、コンテンツデータ２３０を分割する際の位置を示す情報であり、具体的には、コンテンツのアドレスや時間で決められている。
【００８６】
ここで、図３に示す記録指示情報２５０の例は、以下のことを示している。
【００８７】
（１）コンテンツデータ２３０を「ＢＤ」や「ＳＤメモリカード」に記録する場合には、コンテンツデータ２３０の分割は「不要」である。
【００８８】
（２）コンテンツデータ２３０を「ＤＶＤ」に「ＡＶＣＲＥＣ方式」で記録する場合には、コンテンツデータ２３０の分割が「必要」であり、コンテンツデータ２３０を記録するために必要な記録媒体の枚数は「２枚」であり、コンテンツデータ２３０を分割する位置は、コンテンツデータ２３０の先頭から「４００００００バイト」の位置である。
【００８９】
図４に、図３に示す記録指示情報２５０に従って、コンテンツデータ２３０を、ＤＶＤにＡＶＣＲＥＣ方式で記録する場合の分割コンテンツの作成イメージを示す。
【００９０】
図４に示すように、コンテンツデータ２３０は先頭から「４００００００バイト」の位置で１枚目ＤＶＤ用と２枚目ＤＶＤ用の２つのコンテンツに分割される。なお、図４では、コンテンツは２つに分割した例を示したが、２つ以上に分割してもかまわない。
【００９１】
次に、以上のように構成された本実施の形態１に係るコンテンツ配信システム１００の動作について説明する。図５は、本実施の形態１に係るコンテンツ配信システム１００におけるコンテンツ記録方法の処理を示すフローチャート図である。
【００９２】
図５に示すように、本発明の実施の形態１に係るコンテンツ記録方法は、主として、配信要求ステップ（Ｓ１０００）、配信ステップ（Ｓ３０００）、判断ステップ（Ｓ５０００）及び記録ステップ（Ｓ７０００）を有する。
【００９３】
まず、端末装置３００が、コンテンツ配信装置２００に対して、分割情報２５１の配信を要求する（Ｓ１０００）。このとき、端末装置３００は、コンテンツ配信装置２００に対して、コンテンツデータ２３０の配信を同時に要求する。本実施形態では、分割情報２５１とコンテンツデータ２３０とはコンテンツファイル２２０に含まれているので、コンテンツファイル２２０の配信を要求する。
【００９４】
次に、端末装置３００から分割情報２５１とコンテンツの配信要求を受けたコンテンツ配信装置２００は、端末装置３００に分割情報２５１とコンテンツを配信する（Ｓ３０００）。なお、本実施形態では、分割情報２５１及びコンテンツデータ２３０を含むコンテンツファイル２２０を配信する。配信された分割情報２５１及びコンテンツデータ２３０は、端末装置３００のコンテンツ管理部３０６に蓄積される。
【００９５】
次に、端末装置３００にセットされた記録媒体とコンテンツ配信装置２００から取得した分割情報２５１とを比較し、端末装置３００の判断部３０３は、コンテンツデータ２３０を１つの記録媒体に記録するか、あるいはコンテンツデータ２３０を分割して複数個の記録媒体に記録するかを判断する（Ｓ５０００）。具体的には、図３の記録指示情報２５０に示される記録媒体種別２５２、分割要否２５３、分割枚数２５４及び分割位置２５５等の分割情報２５１に基づいて、端末装置３００にセットされた記録媒体の種類とコンテンツデータ２３０の容量とを比較して判断する。
【００９６】
最後に、判断ステップ（Ｓ５０００）においてコンテンツを複数個の記録媒体に記録すると判断した場合、端末装置３００は、コンテンツを複数個に分割して分割コンテンツを作成し、分割コンテンツを複数個の記録媒体に記録する（Ｓ７０００）。また、判断ステップ（Ｓ５０００）においてコンテンツを分割する必要がないと判断した場合、端末装置３００は、コンテンツを分割することなく、所定の１つの記録媒体に記録する。
【００９７】
次に、上記配信ステップ（Ｓ３０００）の後から上記記録ステップ（Ｓ７０００）が終了するまでの動作について、図６を用いてさらに詳述する。
【００９８】
このステップ間の動作は、図６に示すように、記録可否判定ステップ（Ｓ４０００）と、上記判断ステップ（Ｓ５０００）と、分割コンテンツ作成ステップ（Ｓ６０００）と、上記記録ステップ（Ｓ７０００）とを有する。
【００９９】
まず、配信ステップ（Ｓ３０００）によりコンテンツと分割情報２５１を受け取った端末装置３００は、ライセンス配信装置５００から取得したライセンスに基づいて、コンテンツを記録媒体に記録することができるか否か、コンテンツの記録可否を判定する（Ｓ４０００）。
【０１００】
より具体的には、まず、ユーザインタラクション部３１２によって、どのコンテンツデータ２３０をどの種別の記録媒体に、どの記録方式で記録するかを指示可能とする情報を提示する（Ｓ４１００）。図７に、端末装置３００のユーザインタラクション部３１２が提示する情報の一例を示す。ユーザインタラクション部３１２が図７に示す情報を提示するにあたっては、記録媒体の種類を検出する検出部３０８から、端末装置３００に現在挿入されている記録媒体の種別、記録方式に関する情報を入手し、その情報を提示する。また、コンテンツ管理部３０６が管理している各コンテンツファイル２２０のメタデータ２４０、及び、記録指示情報２５０を参照することで、コンテンツ名、及び、現在挿入されている記録媒体にコンテンツデータ２３０を記録する場合に必要となる、媒体の枚数に関する情報を取得し、その情報を提示する。
【０１０１】
その後、Ｓ４１００のステップで提示された情報をもとに、ユーザが記録媒体へのコンテンツ記録指示を行う。これにより、ユーザインタラクション部３１２は、コンテンツ記録指示を受信する（Ｓ４２００）。このコンテンツ記録指示には、どのコンテンツデータをどの種別の記録媒体にどの方式で記録するかを示す情報が含まれる。
【０１０２】
その後、利用可否判定部３１０は、記録を指示されたコンテンツデータ２３０に対応するライセンスがライセンス管理部３０９に蓄積されているか否かを判断する。ライセンスが蓄積されている場合、利用可否判定部３１０は、そのライセンスに含まれる利用条件が満たされているか否かを確認する。確認の結果、対応するライセンスがライセンス管理部３０９に蓄積されており、且つ、そのライセンスに含まれる利用条件が満たされている場合には、利用可否判定部３１０は、「記録可」であると判定する(Ｓ４３００)。一方、対応するライセンスがライセンス管理部３０９に蓄積されていない場合や、ライセンスに含まれる利用条件が満たされていない場合には「記録不可」であると判定し、ユーザインタラクション部３１２によって端末装置３００のユーザに記録が不可能であることを通知する（Ｓ４４００）。「記録不可」の場合、コンテンツを記録する全ての動作が終了する。
【０１０３】
記録可否判定ステップ（Ｓ４０００）において「記録可」と判定された場合、端末装置３００は、コンテンツを１つの記録媒体に記録するか、あるいはコンテンツを分割して複数の記録媒体に記録するかを判断する（Ｓ５０００）。
【０１０４】
判断ステップ（Ｓ５０００）では、まず、端末装置３００は、記録を指示されたコンテンツデータ２３０に対応する記録指示情報２５０をコンテンツ管理部３０６から読み出して参照する（Ｓ５１００）。
【０１０５】
次に、端末装置３００は、Ｓ４２００のステップで指定された記録媒体種別２５２に対応する分割要否２５３を参照し、コンテンツデータ２３０の分割が必要か否かを確認する（Ｓ５２００）。確認の結果、コンテンツデータ２３０の分割が必要な場合には、分割コンテンツ作成ステップ（Ｓ６０００）に進む。一方、確認の結果、コンテンツデータ２３０の分割が不要な場合には、端末装置３００の判断部３０３は、分割なしで記録媒体にコンテンツを記録すると判断する（Ｓ５２００）。
【０１０６】
分割コンテンツ作成ステップ（Ｓ６０００）では、端末装置３００の分割コンテンツ作成部３０７は、分割情報２５１の分割位置２５５で指定された位置でコンテンツデータ２３０を分割し、分割コンテンツを作成する。
【０１０７】
記録ステップ（Ｓ７０００）では、端末装置３００の記録部３０４が、コンテンツの記録媒体に記録する。判断ステップ（Ｓ５０００）において、コンテンツを分割する必要がないと判断された場合は、記録部３０４は、分割なしでコンテンツを１つの記録媒体に記録する（Ｓ７１００）。一方、判断ステップ（Ｓ５０００）において、コンテンツを分割する必要があると判断された場合は、記録部３０４は、分割コンテンツ作成ステップ（Ｓ６０００）で作成された分割コンテンツを分割個数分の複数個の記録媒体に順次記録する（Ｓ７２００）。この際、ユーザインタラクション部３１２は、必要に応じて、次の記録媒体への交換指示を端末装置３００のユーザに提示する。
【０１０８】
なお、コンテンツ又は分割コンテンツの記録が終了した場合、ユーザインタラクション部３１２によって、記録が完了したことを示す情報を端末装置３００のユーザに提示する。
【０１０９】
以上、本発明の実施の形態１に係るコンテンツ配信システム１００によれば、コンテンツ配信装置２００が、コンテンツの分割位置を示す分割情報２５１を端末装置３００に配信し、端末装置３００は、受信した分割情報２５１に示された分割位置に従ってコンテンツを分割する。これにより、ユーザが、容量の大きいコンテンツを容量の小さい複数の記録媒体に記録しようとする場合、コンテンツは、コンテンツ提供者の意図した適切な位置で分割される。
【０１１０】
（実施の形態２）
次に、本発明の実施の形態２に係るコンテンツ配信システム１０１について説明する。
【０１１１】
図８は、本発明の実施の形態２に係るコンテンツ配信システム１０１の全体構成を示す図である。なお、本発明の実施の形態２に係るコンテンツ配信システム１０１は、本発明の実施の形態１に係るコンテンツ配信システム１００と基本的な構成は同じである。本発明の実施の形態２に係るコンテンツ配信システム１０１が本発明の実施の形態１に係るコンテンツ配信システム１００と異なる点は、本発明の実施の形態２に係るコンテンツ配信システム１０１では分割情報に加えて付加情報を端末装置に配信し、分割コンテンツにその付加情報を付加するという点である。
【０１１２】
ここで、付加情報とは、端末装置３００がコンテンツを記録媒体に記録する際、必要に応じてコンテンツ本編に追加して記録する情報のことであり、追加コンテンツとも称す。付加情報の例としては、クレジット情報やクレジット映像等が考えられる。クレジット情報は、映画等のコンテンツの出演者や制作者、提供者等の名前を表示する情報であり、クレジットタイトルとも称される。また、クレジット映像は、ＦＢＩ  Ｗａｒｎｉｎｇと呼ばれる著作権侵害に関する警告映像や、サムネイルやメニュー画面、又は予告編映像といった特典映像等のことである。
【０１１３】
以下、本発明の実施の形態２に係るコンテンツ配信システム１０１においては、本発明の実施の形態１に係るコンテンツ配信システム１００と異なる点を中心に説明する。なお、発明の実施の形態１に係るコンテンツ配信システム１００の構成と同じ符号の構成については、基本的には、発明の実施の形態１に係るコンテンツ配信システム１００で説明した機能等と同じ機能等を有するので、その説明は省略する。
【０１１４】
図８に示すように、本実施形態に係るコンテンツ配信システム１０１は、実施の形態１に係るコンテンツ配信システム１００と特徴的な機能構成は同じであり、コンテンツ配信装置２００は、記憶部２０１、配信要求受け取り部２０２、読み出し部２０３及び配信部２０４を有する。
【０１１５】
本発明の実施の形態２に係るコンテンツ配信装置２００では、記憶部２０１は、コンテンツと分割情報に加えて、さらに、分割コンテンツに付加するための付加情報を記憶する。また、記憶部２０１には、実施の形態１と同様に、記録指示情報２５０が記憶されるが、実施の形態２では、図９に示すように、分割情報２５１に加えて、分割したコンテンツに付加するための情報である付加情報の追加位置２５６も記憶されている。
【０１１６】
配信要求受け取り部２０２は、コンテンツや分割情報の配信要求を受け取る機能に加えて、さらに、端末装置３００から付加情報の配信要求を受け取る機能を有する。さらに、配信要求受け取り部２０２は、付加情報の追加位置２５６の配信要求を受け取る機能も有する。
【０１１７】
読み出し部２０３は、記憶部２０１から、分割情報やコンテンツを読み出すことに加えて、付加情報を読み出す機能を有する。さらに、読み出し部２０３は、付加情報の追加位置２５６を記憶部２０１から読み出す機能も有する。読み出した付加情報や付加情報の追加位置２５６は、配信部２０４にデータ送信される。
【０１１８】
配信部２０４は、分割情報やコンテンツを端末装置３００に配信することに加えて、さらに、付加情報を端末装置３００に配信する機能を有する。また、配信部２０４は、付加情報の追加位置２５６を端末装置３００に配信する機能も有する。なお、これら付加情報や付加情報の追加位置２５６は、コンテンツとともにコンテンツファイルに含まれていてもよく、コンテンツファイルを端末装置３００に配信することで同時に配信される。
【０１１９】
次に、本発明の実施の形態２に係る端末装置３００について説明する。本実施形態に係る端末装置３００は、本発明の実施の形態１に係る端末装置３００と同様に、配信要求部３０１、受け取り部３０２、判断部３０３及び記録部３０４を有する。また、同様に、通信部３０５、コンテンツ管理部３０６、分割コンテンツ作成部３０７、検出部３０８、ライセンス管理部３０９、利用可否判定部３１０、コンテンツ再生部３１１及びユーザインタラクション部３１２を有する。
【０１２０】
本発明の実施の形態２に係る端末装置３００の配信要求部３０１は、コンテンツと分割情報の配信を要求することに加えて、さらに、コンテンツ配信装置２００に付加情報の配信を要求する機能を有する。さらに、配信要求部３０１は、付加情報の追加位置２５６の配信を要求する機能も有する。なお、付加情報の追加位置２５６の配信要求は、分割情報２５１とともに記録指示情報２５０として配信要求してもよい。
【０１２１】
また、受け取り部３０２は、コンテンツ配信装置２００から分割情報とコンテンツを受け取ることに加えて、さらに、付加情報をコンテンツ配信装置２００から受け取る機能を有する。また、受け取り部３０２は、付加情報の追加位置２５６をコンテンツ配信装置２００から受け取る機能も有する。なお、付加情報の追加位置２５６は、分割情報２５１とともに記録指示情報２５０として受け取ってもよい。
【０１２２】
また、記録部３０４は、コンテンツ配信装置２００から受信したコンテンツや分割コンテンツを記録媒体等に記録することに加えて、さらに、追加位置２５６に指定された位置に付加情報を記録媒体等に記録する機能を有する。
【０１２３】
また、コンテンツ管理部３０６は、実施の形態１のコンテンツ管理部３０６が有する機能に加えて、さらに、受け取り部３０２で受け取った付加情報及び付加情報の追加位置２５６を蓄積する機能を有する。
【０１２４】
また、分割コンテンツ作成部３０７は、実施の形態１のコンテンツ管理部３０６が有する機能に加えて、さらに、コンテンツ配信装置２００から受け取った付加情報の追加位置２５６に従って付加情報を付加し、付加情報を付加した分割コンテンツを作成する機能を有する。
【０１２５】
次に、本発明の実施の形態２に係るコンテンツ配信装置２００が記憶する記録指示情報２５０について説明する。図９は、本発明の実施の形態２に係るコンテンツ配信装置２００が記憶する記録指示情報２５０の一例を示す図である。
【０１２６】
図９に示すように、記録指示情報２５０は分割情報２５１と付加情報の追加位置２５６を含む。分割情報２５１に関する記録媒体種別２５２、分割要否２５３、分割枚数２５４及び分割位置２５５については、本発明の実施の形態１において説明したものと同じなのでその説明は省略する。
【０１２７】
図９に示される付加情報の追加位置２５６は、分割コンテンツに付加情報を追加する位置を示す情報である。
【０１２８】
ここで、図９に示す記録指示情報２５０の例は、以下のことを示している。
【０１２９】
（１）コンテンツデータ２３０を「ＢＤ」や「ＳＤメモリカード」に記録する場合には、コンテンツデータ２３０の分割は「不要」である。
【０１３０】
（２）コンテンツデータ２３０を「ＤＶＤ」に「ＡＶＣＲＥＣ方式」で記録する場合には、コンテンツデータ２３０の分割が「必要」であり、コンテンツデータ２３０を記録するために必要な記録媒体の枚数は「２枚」であり、コンテンツデータ２３０を分割する位置は、コンテンツデータ２３０の先頭から「４００００００バイト」の位置である。１枚目ＤＶＤ用分割コンテンツには、その最後尾の位置に付加情報を付加する。２枚目ＤＶＤ用分割コンテンツには、その先頭の位置に付加情報を付加する。
【０１３１】
次に、本発明の実施の形態２に係るコンテンツ配信システム１０１によって作成される分割コンテンツについて、図１０を用いて説明する。図１０は、本発明の実施の形態２に係るコンテンツ配信システム１０１における分割コンテンツの作成処理を模式的に示す図であり、図９に示す記録指示情報２５０に従って、コンテンツデータ２３０をＤＶＤにＡＶＣＲＥＣ方式で記録する場合における分割コンテンツの作成イメージを示したものである。
【０１３２】
図１０に示すように、コンテンツデータ２３０は先頭から「４００００００バイト」の位置で１枚目ＤＶＤ用と２枚目ＤＶＤ用の２つのコンテンツに分割される。そして、コンテンツ配信装置２００から配信された付加情報が、付加情報の追加位置２５６に従って、分割コンテンツに付加される。なお、図１０では、コンテンツを２つに分割し、１枚目ＤＶＤ用分割コンテンツにはその最後尾に付加情報を付加し、２枚目ＤＶＤ用分割コンテンツにはその先頭に付加情報を付加したが、付加情報を付加する位置はこれに限らない。例えば、１枚目ＤＶＤ用分割コンテンツには先頭に、２枚目ＤＶＤ用分割コンテンツには最後尾に付加情報を付加してもよい。また、いずれの分割コンテンツにも、付加情報を先頭又は最後尾に付加してもよい。
【０１３３】
また、２つの分割コンテンツそれぞれに付加される付加情報は、同じ内容のコンテンツであっても異なるコンテンツであってもいずれでもかまわない。付加情報の内容は、コンテンツ制作者の意図に応じて適宜決定すればよい。
【０１３４】
次に、以上のように構成された本実施の形態２に係るコンテンツ配信システム１０１の動作について説明する。なお、本発明の実施の形態２に係るコンテンツ配信システム１０１の動作は、本実施の形態１に係るコンテンツ配信システム１００において説明した図５及び図６に示すコンテンツ記録方法の処理を示すフローチャートと基本的に同様である。従って、本実施の形態２に係るコンテンツ配信システム１０１の動作については、本実施の形態１に係るコンテンツ配信システム１００の動作とは異なる点を中心に説明する。
【０１３５】
本実施形態においては、図５に示す配信要求ステップ（Ｓ１０００）では、さらに、端末装置３００からコンテンツ配信装置２００に対して、付加情報及び付加情報の追加位置２５６の配信を要求する。
【０１３６】
また、配信ステップ（Ｓ３０００）では、分割情報２５１の配信に加えて、コンテンツ配信装置２００から端末装置３００には、付加情報及び付加情報の追加位置２５６も配信する。配信された付加情報及び付加情報の追加位置２５６は、コンテンツ管理部３０６に蓄積される。なお、本実施形態では、付加情報及び付加情報の追加位置は、コンテンツや分割情報とともにコンテンツファイルに含まれているので、コンテンツファイルの配信により、これらのデータや情報は端末装置に同時に配信される。
【０１３７】
また、分割コンテンツ作成ステップ（Ｓ６０００）では、さらに、追加位置２５６で指定された位置に付加情報が付加された分割コンテンツを作成する。付加情報の付加は、端末装置３００の分割コンテンツ作成部３０７で行われる。
【０１３８】
記録ステップ（Ｓ７０００）では、判断ステップ（Ｓ５０００）において、コンテンツを複数個の記録媒体に記録すると判断した場合、付加情報が付加された分割コンテンツを複数個の記録媒体に記録する。
【０１３９】
なお、本実施形態では、分割情報と同時に付加情報も取得したが、付加情報を取得するタイミングはこれに限らず、適宜選択することができる。
【０１４０】
以上、本発明の実施の形態２に係るコンテンツ配信システム１０１によれば、本実施の形態１に係るコンテンツ配信システム１００に対して、さらに、分割コンテンツに付加情報を付加するものである。これにより、コンテンツ提供者は、意図した位置でコンテンツを分割することができるとともに、意図した付加情報を分割コンテンツに付加することができる。例えば、コンテンツ提供者は、分割コンテンツの意図した位置に映画の予告映像等の付加情報を挿入することができる。また、付加情報の付加により、コンテンツの利用者としては、分割コンテンツ同士の関係を保持することができたり、分割されたコンテンツであっても、付加されたサムネイル等の付加情報によって容易にコンテンツを取り扱うことができる。
【０１４１】
（実施の形態３）
次に、本発明の実施の形態３に係るコンテンツ配信システム１０２について説明する。
【０１４２】
図１１は、本発明の実施の形態３に係るコンテンツ配信システム１０２の全体構成を示す図である。なお、本発明の実施の形態３に係るコンテンツ配信システム１０２は、本発明の実施の形態２に係るコンテンツ配信システム１０１と基本的な構成は同じである。本発明の実施の形態３に係るコンテンツ配信システム１０２が、本発明の実施の形態２に係るコンテンツ配信システム１０１と異なる点は、本発明の実施の形態３に係るコンテンツ配信システム１０２では、付加情報を付加情報配信装置から配信するという点である。
【０１４３】
以下、本発明の実施の形態３に係るコンテンツ配信システム１０２においては、本発明の実施の形態１，２に係るコンテンツ配信システム１００，１０１と異なる構成を中心に説明し、特に説明のない同じ符号の構成については、発明の実施の形態１，２に係るコンテンツ配信システム１００，１０１の構成で説明した機能等と同じ機能等を有するので、その説明は省略する。
【０１４４】
図１１に示すように、本実施形態に係るコンテンツ配信システム１０２は、実施の形態１，２に係るコンテンツ配信システム１００，１０１と特徴的な機能構成は同じであり、コンテンツ配信装置２００、端末装置３００、伝送路４００及びライセンス配信装置５００を有する。さらに、本実施形態に係るコンテンツ配信システム１０２においては、付加情報配信装置６００を有する。なお、以下、本実施形態においては、コンテンツ配信装置２００を第１のサーバ、付加情報配信装置６００を第２のサーバと称すこともある。
【０１４５】
本発明の実施の形態３に係るコンテンツ配信装置２００は、実施の形態１，２に係るコンテンツ配信装置２００と同様に、記憶部２０１、配信要求受け取り部２０２、読み出し部２０３及び配信部２０４を有する。
【０１４６】
本発明の実施の形態３に係るコンテンツ配信装置２００では、記憶部２０１は、実施の形態２の記憶部２０１に加えて、さらに、付加情報の取得先を示す付加情報の取得先情報と、付加情報を取得するために必要な付加情報ＩＤ（付加情報識別子）を記憶する。なお、記憶部２０１は、実施の形態１，２と同様に記録指示情報２５０を記憶しており、図１２に示すように、付加情報の取得先情報２５７及び付加情報ＩＤ２５８は記録指示情報２５０に含まれる。本実施形態において、付加情報は、後述する付加情報配信装置６００に記憶されており、取得先情報２５７と付加情報ＩＤ２５８によって付加情報配信装置６００と付加情報とが特定され、特定された付加情報が付加情報配信装置６００から端末装置３００に配信される。
【０１４７】
また、配信要求受け取り部２０２は、実施の形態２の配信要求受け取り部２０２に加えて、さらに、端末装置３００から、取得先情報２５７及び付加情報ＩＤ２５８の配信要求を受け取る機能を有する。
【０１４８】
また、読み出し部２０３は、実施の形態２の配信要求受け取り部２０２に加えて、さらに、記憶部２０１から取得先情報２５７及び付加情報ＩＤ２５８を読み出す機能を有する。読み出した取得先情報２５７及び付加情報ＩＤ２５８は、配信部２０４にデータ送信される。
【０１４９】
そして、配信部２０４は、さらに、取得先情報２５７及び付加情報ＩＤ２５８を端末装置３００に配信する機能を有する。
【０１５０】
次に、本発明の実施の形態３に係る端末装置３００について説明する。本実施形態に係る端末装置３００は、本発明の実施の形態２に係る端末装置３００と同様に、配信要求部３０１、受け取り部３０２、判断部３０３及び記録部３０４を有する。また、同様に、通信部３０５、コンテンツ管理部３０６、分割コンテンツ作成部３０７、検出部３０８、ライセンス管理部３０９、利用可否判定部３１０、コンテンツ再生部３１１及びユーザインタラクション部３１２を有する。
【０１５１】
本発明の実施の形態３に係る端末装置３００の配信要求部３０１は、コンテンツと分割情報の配信を要求することに加えて、さらに、コンテンツ配信装置２００に対して、付加情報の取得先情報２５７の配信を要求する機能を有する。また、配信要求部３０１は、付加情報配信装置６００に対して、コンテンツ配信装置２００から取得した取得先情報２５７に基づいて、付加情報の配信を要求する機能を有する。また、配信要求部３０１は、コンテンツ配信装置２００に対して付加情報の取得先情報２５７の配信を要求するときに、付加情報ＩＤ２５８の配信も同時に要求してもよい。
【０１５２】
また、受け取り部３０２は、コンテンツ配信装置２００から分割情報とコンテンツを受け取ることに加えて、さらに、コンテンツ配信装置２００から、付加情報の取得先情報２５７及び付加情報ＩＤ２５８を受け取る機能を有する。また、受け取り部３０２は、取得先情報２５７で指定された付加情報配信装置６００から、付加情報ＩＤ２５８で指定された付加情報を受け取る機能も有する。なお、本実施形態では、付加情報の取得先情報２５７及び付加情報ＩＤ２５８は、分割情報２５１とともに記録指示情報２５０として受け取る。
【０１５３】
なお、記録部３０４は、実施の形態２と同様に、分割コンテンツを記録媒体等に記録することに加えて、付加情報の追加位置２５６によって指定された位置に付加情報を付加し、付加情報を記録媒体に記録する機能を有する。
【０１５４】
また、コンテンツ管理部３０６は、さらに、受け取り部３０２で受け取った付加情報の取得先情報２５７及び付加情報ＩＤ２５８を蓄積する機能を有する。
【０１５５】
なお、分割コンテンツ作成部３０７は、コンテンツ配信装置２００から取得した付加情報の追加位置２５６に従って付加情報を付加し、付加情報を付加した分割コンテンツを作成する機能を有する。
【０１５６】
次に、本発明の実施の形態３に係る付加情報配信装置６００について説明する。
【０１５７】
図１１に示すように、本実施形態に係る付加情報配信装置６００は、例えば、コンテンツサーバであり、分割コンテンツに付加する付加情報を管理する装置であって、端末装置３００からの要求に応じて、端末装置３００に付加情報を配信する装置である。
【０１５８】
本発明の実施の形態３に係る付加情報配信装置６００は、図１１に示すように、付加情報記憶部６０１、付加情報配信要求受け取り部６０２、付加情報読み出し部６０３及び付加情報配信部６０４を有する。
【０１５９】
付加情報記憶部６０１は、付加情報を記憶する機能を有する。
【０１６０】
付加情報配信要求受け取り部６０２は、端末装置３００から付加情報の配信要求を受け取る機能を有する。このとき、付加情報配信要求受け取り部６０２は、端末装置３００から、付加情報ＩＤ２５８も同時に受け取ってもよい。
【０１６１】
付加情報読み出し部６０３は、付加情報配信要求受け取り部６０２で受け取った配信要求を受けて、付加情報ＩＤ２５８に従って、付加情報記憶部６０１から付加情報を読み出す機能を有する。
【０１６２】
なお、通信部６０５は、付加情報配信要求受け取り部６０２と付加情報配信部６０４とを含み、伝送路４００を通じて、端末装置３００との通信を行う通信インターフェイス部である。
【０１６３】
次に、本発明の実施の形態３に係るコンテンツ配信装置２００が記憶する記録指示情報２５０について説明する。図１２は、本発明の実施の形態３に係るコンテンツ配信装置２００が記憶する記録指示情報２５０の一例を示す図である。
【０１６４】
記録指示情報２５０は、コンテンツデータとともにコンテンツファイルに含まれるものであり、図１２に示すように、分割情報２５１と、付加情報の追加位置２５６と、付加情報の取得先情報２５７及び付加情報ＩＤ２５８を含む。分割情報２５１に関する記録媒体種別２５２、分割要否２５３、分割枚数２５４及び分割位置２５５と、付加情報の追加位置２５６については、実施の形態２で説明したものと同じなので説明は省略する。
【０１６５】
図１２に示される付加情報の取得先情報２５７は、付加情報（追加コンテンツ）の取得先を特定する情報であり、付加情報配信装置６００のＵＲＬ（Ｕｎｉｆｏｒｍ  Ｒｅｓｏｕｒｃｅ  Ｌｏｃａｔｏｒ）やメールアドレス、電話番号などの情報である。また、付加情報ＩＤ２５８は、付加情報のＩＤ（識別子）であり、個々の付加情報と対応づけられているものである。付加情報ＩＤによって、付加情報配信装置６００に格納される個々の付加情報が特定され、後述するように、分割コンテンツに付加する付加情報が特定される。
【０１６６】
ここで、図１２に示す記録指示情報２５０の例は、以下のことを示している。
【０１６７】
（１）コンテンツデータ２３０を「ＢＤ」や「ＳＤメモリカード」に記録する場合には、コンテンツデータ２３０の分割は「不要」である。
【０１６８】
（２）コンテンツデータ２３０を「ＤＶＤ」に「ＡＶＣＲＥＣ方式」で記録する場合には、コンテンツデータ２３０の分割が「必要」であり、コンテンツデータ２３０を記録するために必要な記録媒体の枚数は「２枚」であり、コンテンツデータ２３０を分割する位置は、コンテンツデータ２３０の先頭から「４００００００バイト」の位置である。コンテンツデータ２３０を記録する際には、付加情報ＩＤ２５８が「ａａａ」と「ｂｂｂ」である２つの付加情報を記録する。付加情報ＩＤ２５８が「ａａａ」である付加情報は、ＵＲＬが「ｈｔｔｐ：／／ｘｘｘ．ａａａ」である付加情報配信装置６００から取得する。付加情報ＩＤ２５８が「ｂｂｂ」である付加情報は、ＵＲＬが「ｈｔｔｐ：／／ｘｘｘ．ｂｂｂ」である付加情報配信装置６００から取得する。付加情報ＩＤ２５８が「ａａａ」である付加情報は、「１枚目用の分割コンテンツの最後尾」の位置に記録する。付加情報ＩＤ２５８が「ｂｂｂ」である付加情報は、「２枚目用の分割コンテンツの先頭」の位置に記録する。
【０１６９】
次に、本発明の実施の形態３に係るコンテンツ配信システム１０２によって作成される分割コンテンツについて、図１３を用いて説明する。図１３は、本発明の実施の形態３に係るコンテンツ配信システム１０２における分割コンテンツの作成処理を模式的に示す図であり、図１２に示す記録指示情報２５０に従って、コンテンツデータ２３０をＤＶＤにＡＶＣＲＥＣ方式で記録する場合における分割コンテンツの作成イメージを示したものである。
【０１７０】
図１３に示すように、コンテンツデータ２３０は先頭から「４００００００バイト」の位置で１枚目ＤＶＤ用と２枚目ＤＶＤ用の２つのコンテンツに分割される。そして、１枚目ＤＶＤ用分割コンテンツの最後尾には、付加情報ＩＤが「ａａａ」に対応する付加情報が追加され、２枚目ＤＶＤ用分割コンテンツの先頭には、付加情報ＩＤが「ｂｂｂ」に対応する付加情報が追加される。
【０１７１】
次に、以上のように構成された本実施の形態３に係るコンテンツ配信システム１０２の動作について、図１４を用いて説明する。図１４は、本実施の形態３に係るコンテンツ配信システム１０２におけるコンテンツ記録方法の処理を示すフローチャートである。
【０１７２】
なお、図５及び図６で示した本実施の形態１，２に係るコンテンツ配信システム１００，１０１の動作と同じ符号の動作（ステップ）については説明を省略し、異なる動作を中心に説明する。
【０１７３】
図１４に示すように、本実施の形態３に係るコンテンツ記録方法は、配信要求ステップ（Ｓ１０００）、配信ステップ（Ｓ３０００）、付加情報取得ステップ（Ｓ３５００）、判断ステップ（Ｓ５０００）及び記録ステップ（Ｓ７０００）を有する。付加情報取得ステップ（Ｓ３５００）が実施の形態１，２にはないステップである。
【０１７４】
まず、本発明の実施の形態１と同様に、端末装置３００が、コンテンツ配信装置２００に対して、分割情報２５１等の配信を要求する（Ｓ１０００）。本実施形態においては、さらに、端末装置３００は、コンテンツ配信装置２００に対して、付加情報の追加位置２５６、付加情報の取得先情報２５７及び付加情報ＩＤ２５８の配信を要求する（Ｓ１０００）。
【０１７５】
次に、端末装置３００から分割情報の配信要求を受けたコンテンツ配信装置２００は、端末装置３００に対して、分割情報２５１を配信するとともに、付加情報の追加位置２５６、付加情報の取得先情報２５７及び付加情報ＩＤ２５８を配信する（Ｓ３０００）。
【０１７６】
次に、端末装置３００は、コンテンツ配信装置２００から取得した付加情報の取得先情報２５７と付加情報ＩＤ２５８とを用いて、付加情報の取得先情報２５７で特定される付加情報配信装置６００から、付加情報ＩＤで指定された付加情報を取得する（Ｓ３５００）。
【０１７７】
次に、端末装置３００にセットされた記録媒体とコンテンツ配信装置２００から取得した分割情報２５１とを比較し、端末装置３００の判断部３０３は、コンテンツデータ２３０を１つの記録媒体に記録するか、あるいはコンテンツデータ２３０を分割して複数個の記録媒体に記録するかを判断する（Ｓ５０００）。このステップは、実施の形態２と同様であるので詳しい説明は省略する。
【０１７８】
最後に、判断ステップ（Ｓ５０００）においてコンテンツを複数個の記録媒体に記録すると判断した場合、端末装置３００は、コンテンツを複数個に分割して分割コンテンツを作成し、分割コンテンツを複数個の記録媒体に記録する（Ｓ７０００）。また、判断ステップ（Ｓ５０００）においてコンテンツを分割する必要がないと判断した場合、端末装置３００は、コンテンツを分割することなく、所定の１つの記録媒体に記録する。
【０１７９】
なお、本実施の形態において付加情報取得ステップ（Ｓ３５００）は、配信ステップ（Ｓ３０００）と判断ステップ（Ｓ５０００）の間のステップとしたが、付加情報取得ステップ（Ｓ３５００）を、図６に示す分割コンテンツ作成ステップ（Ｓ６０００）の中で実施するように構成しても構わない。すなわち、例えば、図１５に示すように、まず、端末装置３００がコンテンツ配信装置２００から取得した取得先情報２５７及び付加情報ＩＤ２５８を参照し、取得先情報２５７で特定される付加情報配信装置６００から、付加情報ＩＤ２５８で指定されたＩＤの付加情報を取得する（Ｓ６１００）。次に、端末装置３００の分割コンテンツ作成部３０７によって、分割位置２５５で指定された位置でコンテンツデータ２３０を分割する（Ｓ６２００）。そして、分割コンテンツ作成部３０７によって、付加情報の追加位置２５６で指定された位置に、取得した付加情報を付加する（Ｓ６３００）。なお、付加情報を取得するタイミングはこれに限らず、適宜選択することができる。
【０１８０】
以上、本発明の実施の形態３に係るコンテンツ配信システム１０２によれば、本実施の形態１，２に係るコンテンツ配信システム１００，１０１と同様の効果を奏する。さらに、本実施形態においては、実施の形態２とは異なり、コンテンツを配信する第１のサーバとは異なる第２のサーバから付加情報を取得している。これにより、第２のサーバがコンテンツの付加情報を必要な時に配信することができるので、第１のサーバが付加情報を配信する負荷をなくすことができる。また、コンテンツと付加情報とを別々のサーバで管理することができるので、付加情報（追加コンテンツ）提供者にとっては、付加情報の作成、修正及び配信の自由度が高まる。
【０１８１】
なお、本実施の形態３に係るコンテンツ配信システム１０２では、付加情報配信装置６００を１つの装置（サーバ）として説明したが、複数の付加情報配信装置を用いてもよい。
【０１８２】
以上、本発明を上記３つの実施の形態に基づいて説明してきたが、本発明は、上記の実施の形態に限定されない。
【０１８３】
例えば、上記３つの実施の形態では、端末装置３００が分割コンテンツを作成したが、コンテンツ配信装置２００が分割コンテンツを作成するようにしてもかまわない。この場合、端末装置３００は、コンテンツ配信装置２００から分割情報を取得した後、記録媒体の種類に関する情報をコンテンツ配信装置２００に送信する。この記録媒体の種類の情報とコンテンツデータの容量とに基づいて、コンテンツ配信装置２００がコンテンツを適宜分割する。そして、分割したコンテンツを端末装置３００に配信する。
【０１８４】
また、上記３つの実施の形態では、端末装置に記録媒体を着脱可能に直接セットして分割コンテンツを記録したが、記録媒体は必ずしも端末装置に直接セットされるものに限らない。但し、この場合でも、分割コンテンツを記録媒体に記録するのは端末装置３００である。
【０１８５】
さらに、以下のような場合も本発明に含まれる。
【０１８６】
（１）上記の各構成は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１８７】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムに従って動作することにより、システムＬＳＩは、その機能を達成する。
【０１８８】
（３）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムに従って動作することにより、前記ＩＣカードまたは前記モジュールは、その機能を達成する。このＩＣカードまたはこのモジュールは、耐タンパ性を有するようにしてもよい。
【０１８９】
（４）上記各実施の形態で示したコンテンツ記録方法をコンピュータにより実現するコンピュータプログラムとしてもよい。また、前記コンピュータプログラムからなるデジタル信号としてもよい。
【０１９０】
また、本発明は、前記コンピュータプログラムまたは前記デジタル信号をコンピュータによって読み取り可能な記録媒体に記録してもよい。記憶媒体としては、磁気ディスク、光ディスク、光磁気ディスク、ＩＣカード、半導体メモリ等があり、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）がある。また、これらの記録媒体に記録されている前記デジタル信号としてもよい。
【０１９１】
また、本発明は、前記コンピュータプログラムまたは前記デジタル信号を、電気通信回線、無線または有線通信回線、インターネットを代表とするネットワーク、データ放送等を経由して伝送するようにしてもよい。
【０１９２】
また、本発明は、マイクロプロセッサとメモリを備えたコンピュータシステムであって、前記メモリは、上記コンピュータプログラムを記憶しており、前記マイクロプロセッサは、前記コンピュータプログラムに従って動作するようにしてもよい。
【０１９３】
また、前記プログラムまたは前記デジタル信号を前記記録媒体に記録して移送することにより、または前記プログラムまたは前記デジタル信号を、前記ネットワーク等を経由して移送することにより、独立した他のコンピュータシステムにより実施するようにしてもよい。
【０１９４】
（５）上記の各実施の形態及び上記変形例をそれぞれ組み合わせてもよい。
【産業上の利用可能性】
【０１９５】
本発明に係るコンテンツ配信システム、コンテンツ記録方法及び装置等は、デジタル放送、ＣＡＴＶ、インターネット等によるコンテンツ配信サービスを行うシステム、及びそれに含まれる装置等において有用である。
【符号の説明】
【０１９６】
１００，１０１，１０２  コンテンツ配信システム
２００  コンテンツ配信装置
２０１  記憶部
２０２  配信要求受け取り部
２０３  読み出し部
２０４  配信部
２０５，３０５，６０５  通信部
２２０  コンテンツファイル
２３０  コンテンツデータ
２４０  メタデータ
２５０  記録指示情報
２５１  分割情報
２５２  記録媒体種別
２５３  分割要否
２５４  分割枚数
２５５  分割位置
２５６  追加位置
２５７  取得先情報
２５８  付加情報ＩＤ
３００  端末装置
３０１  配信要求部
３０２  受け取り部
３０３  判断部
３０４  記録部
３０６  コンテンツ管理部
３０７  分割コンテンツ作成部
３０８  検出部
３０９  ライセンス管理部
３１０  利用可否判定部
３１１  コンテンツ再生部
３１２  ユーザインタラクション部
４００  伝送路
５００  ライセンス配信装置
６００  付加情報配信装置
６０１  付加情報記憶部
６０２  付加情報配信要求受け取り部
６０３  付加情報読み出し部
６０４  付加情報配信部
【図１】
0005584131.tif 000002
【図２】
0005584131.tif 000003
【図３】
0005584131.tif 000004
【図４】
0005584131.tif 000005
【図５】
0005584131.tif 000006
【図６】
0005584131.tif 000007
【図７】
0005584131.tif 000008
【図８】
0005584131.tif 000009
【図９】
0005584131.tif 000010
【図１０】
0005584131.tif 000011
【図１１】
0005584131.tif 000012
【図１２】
0005584131.tif 000013
【図１３】
0005584131.tif 000014
【図１４】
0005584131.tif 000015
【図１５】
0005584131.tif 000016